(57)【特許請求の範囲】
【請求項１】
二輪車両に搭載され、車両情報を表示する表示手段と、
前記表示手段による表示を視認可能に前記表示手段を収納するケースと、
このケースの外部と接続するための配線と、
前記ケースに収納され、前記配線と接続されるとともに前記表示手段を駆動する電子部品を実装する回路基板と、
前記配線が挿通される配線管と、
前記配線管を挿通し、前記ケースの開口を覆う弾性変形可能な防水部材と、を備え、
前記防水部材は、
前記配線管をテープからなる接着部材にて固定するための筒状の内壁部と、
前記接着部材の全部を覆うとともに前記接着部材に接触する外壁部と、を設けることを特徴とする車両用表示装置の防水構造。
【請求項２】
前記接着部材、前記配線管、前記防水部材の前記内壁部と前記外壁部とが積層された位置に、前記外壁部の外周から結束する固定部材を備えてなることを特徴とする請求項１に記載の車両用表示装置の防水構造。
【発明の詳細な説明】
【技術分野】
【０００１】
本発明は、車両情報を表示する車両用表示装置の防水構造に関するものである。
【背景技術】
【０００２】
この種の車両用表示装置にあっては、例えば、ケースの内部に指針による指示を行う速度計や燃料計や温度計などの各種の表示器を収納固定するとともに、各表示器を駆動するための回路基板を収納固定している。また、場合によっては液晶表示装置からなる表示器をケース内に収納固定するとともに、この液晶表示器を駆動するための回路基板をケース内に収納固定している。
【０００３】
また、前記回路基板からケースの外部側へと電気的に引き回し形成するために、回路基板に接続した配線コードなどを介してケースに設けた開口を通じてケースの内部側から外部側へと引き出し形成している。この際、例えば、特許文献１などに記載されているように、配線部材とケースの開口部との間の防水性を保つために弾性部材からなるグロメットに前記配線部材をそれぞれ挿通して水密に保つように構成している。
【０００４】
また、配線を挿通したグロメットをケースに組み付ける場合、ケースの内部側からケースの開口部を通じて外部側へと引き出し案内する際に、さらに配線とグロメットとの密着性を保つために、接着部材としてテープを用いて隙間を塞ぐものが特許文献２に開示されている。
【先行技術文献】
【特許文献】
【０００５】
【特許文献１】特開平１０−３３４９８２号公報
【特許文献２】特開平１０−２１４５３２号公報
【発明の概要】
【発明が解決しようとする課題】
【０００６】
しかしながら、特許文献２のような構造を二輪車などの車両用表示装置に適用した場合にあっては、テープ部分が露出することがあり、車両の排熱や太陽光、雨水、テープの経年変化による劣化などからテープによる密着性を保つことができず、グロメットと配線との隙間が発生してしまい、その隙間から電子部品に悪影響を及ぼす埃や水分が入ってしまう虞があり、防水や防塵構造として改善の余地があった。また、テープの部分的な剥がれや粘着部分に付着する汚れなど、外観品位を損なうという問題があった。
【０００７】
そこで本発明の目的は、上述した課題に着目してなされ、接着部材の劣化を抑制し防水性に優れた車両用表示装置の防水構造を提供することにある。
【課題を解決するための手段】
【０００８】
本発明の車両用表示装置の防水構造は、
二輪車両に搭載され、車両情報を表示する表示手段と、
前記表示手段による表示を視認可能に前記表示手段を収納するケースと、
このケースの外部と接続するための配線と、
前記ケースに収納され、前記配線と接続されるとともに前記表示手段を駆動する電子部品を実装する回路基板と、
前記配線が挿通される配線管と、
前記配線管を挿通し、前記ケースの開口を覆う弾性変形可能な防水部材と、を備え、
前記防水部材は、
前記配線管をテープからなる接着部材にて固定するための筒状の内壁部と、
前記接着部材の全部を覆うとともに前記接着部材に接触する外壁部と、を設けることを特徴とする。
【０００９】
また、前記接着部材、前記配線管、前記防水部材の前記内壁部と前記外壁部とが積層された位置に、前記外壁部の外周から結束する固定部材を備えてなることを特徴とする。
【発明の効果】
【００１０】
本発明は、車両情報を表示する車両用表示装置の防水構造に関し、接着部材の劣化を抑制し防水性に優れた車両用表示装置の防水構造を提供することにある。
【図面の簡単な説明】
【００１１】
【図１】本発明の実施の形態である表示器を示す断面図。
【図２】同上の表示器の配線を挿通する防水部材を示す断面図。
【発明を実施するための形態】
【００１２】
以下、本発明の実施の形態を添付した図面に基づいて説明する。
【００１３】
図１は、二輪車両に搭載される表示器（車両用表示装置）Ａを示す断面図である。表示器Ａは、二輪車両のハンドル中央付近で雨水等かかりやすい箇所に設置され、液晶表示パネル（表示手段）１と、ケース２と、回路基板３と、グロメット（防水部材）４と、配線５と、配線管６と、ビス７、固定部材８とを備えている。
【００１４】
液晶表示パネル１は、二輪車両の利用者が視認可能なようにハンドルの中央近くに設けられ、残りのエネルギー容量（残燃料量）や車両の走行速度、各機構の状態を示すインジケータ、警報内容などの車両情報を画像表示するものである。また、液晶表示パネル１は、回路基板３と接続されて駆動信号を得るとともに、この回路基板３に実装されたバックライト１１によって、透過照明されて表示できる。
【００１５】
なお、この場合、液晶表示パネル１の表示領域以外を覆い隠すための見返しパネル１２や、液晶表示パネル１とバックライト１１との間に、光拡散シートなどの光学部材１３を介在させて、照明むらを低減させて液晶表示パネル１の視認性を高めている。
【００１６】
この場合、液晶表示パネル１は、薄膜トランジスタを用いて駆動制御され、詳述しない車両利用者の操作や、車両の状態に応じて画面切換えして、所望の表示を出力することができる。
【００１７】
ケース２は、表示側ケース２１と、背面側ケース２２とで構成され、液晶表示パネル１や回路基板３を保持するとともに収納する。
【００１８】
表示側ケース２１は、液晶表示パネル１の表示出力を透過する窓部２１ａと、背面側ケース２２と接続するための固定部（取り付け用穴）２１ｂとを有しており、この場合、窓部２１ａとなる透明な合成樹脂材をインサート成型して遮光な固定部２１ｂとともに形成されてなる。
【００１９】
背面側ケース２２は、遮光（有色）な合成樹脂材を用いて形成され、液晶表示パネル１や回路基板３を図示しないビスやフックなどで固定保持することができる。また、背面側ケース２２がこの固定保持した状態にて、液晶表示パネル１側から前記表示側ケース２１で覆い塞ぐようにして、表示側ケース２１を組み付けることができる。
【００２０】
この場合、背面側ケース２２は、側面側における表示側ケース２１との当接箇所に防水パッキン２２ａを一周に渡って介在させるとともに、固定部２１ｂにビス締めされて、表示側ケース２１と水密に接続している。なお、背面側ケース２２の背面側には、後述する回路基板３のコネクタを臨む開口２２ｂやグロメット４を嵌める縁部２２ｃと、縁部２２ｃの同心円状に設けられる凹状の溝部２２ｄとが設けられている。なお、縁部２２ｃや溝部２２ｄは、開口２２ｂを囲むように一週に渡って形成される。
【００２１】
回路基板３は、スペーサ３１によって液晶表示パネル１と所定間隔離れた位置で、背面側ケース２２に保持され、ガラスエポキシ樹脂を用いた基板に銅箔パターンからなる回路配線が印刷形成された硬質プリント配線板からなる。
【００２２】
また、回路基板３は、図示しない配線を介して液晶表示パネル１と接続し、車両情報を入力し所定プログラムによって演算するためのインターフェース回路やマイクロコンピュータ（演算手段）や、液晶表示パネル１を駆動制御するための駆動回路、液晶表示パネル１を透過照明するためのバックライト１１、外部からの信号（車両情報）を入力したり、車両からの電源を供給するなどの複数の配線５を接続するためのコネクタ３３などの電子部品を実装している。なお、コネクタ３３は、背面側ケース２２の開口２２ｂに対応した位置に設けられる。
【００２３】
グロメット４は、合成ゴムからなる弾性材からなり、ケース２の縁部２２ｃや溝部２２ｄの形状に沿って接する嵌合部４１を一端側に設け、配線５を挿通するとともに嵌合部４１よりも径小な筒状の内壁部４２を他端側に設けている。また、この内壁部４２の外周を覆う外壁部４３を設けており、外壁部４３は、図２に示すように、折り曲げて変形させることができる。また、嵌合部４１と内壁部４２とを傾斜状（円錐状）に接続する連結部４４とが設けられる。なお、グロメット４は、合成ゴムではなく、弾性を有する樹脂材料を適用することもできる。
【００２４】
この場合、嵌合部４１には、背面側ケース２２の溝部２２ｄの形状に対応する凸状の凸部４２ａが設けられている。また、グロメット４は、嵌合部４１側と内壁部４２側との両端が開口する筒状になっており、回路基板３に実装されたコネクタ３３に対応するコネクタ３３ａと図示しない複数のコネクト端子に接続される配線５とを覆うものである。また、図１に示す、組み付け状態にあっては、嵌合部４１の一端開口部は、ケース２の縁部２２ｃや溝部２２ｄによって水密にされ嵌合し、内壁部４２の他端開口部は、テープＴや配線管６によって隙間無く設けられる。
【００２５】
配線５は、コネクタ３３ａに接続される複数の被膜導線コードで、電源線や各種信号線として利用される。この場合、配線５は、コネクタ３３ａ付近で束ねられ、グロメット４や配線管６を挿通して、表示器Ａと外部機器との電気的な接続を行うようにしている。また、配線５のコネクタ３３ａ側は、特にグロメット４によって覆われている。
【００２６】
配線管６は、合成ゴムからなり、グロメット４の内壁部４２に外嵌された状態にて、内壁部４２とともにテープＴが巻かれて水分等が内部へ入らないようにして接続状態が保持される。この際、外壁部４３を折り曲げておくことで、テープＴを巻く作業が容易に行える。なお、外壁部４３にスリットを形成することで、折り曲げる作業も容易にすることもできる。なお、配線管６は、配線５の撓みを損なわないように、合成ゴムなどの可撓性部材を用いることが好適であるが、防水性を有し、配線５を挿通する筒状のものであれば代替できる。例えば、配線５の撓みが必要ない場合には、合成樹脂等からなる硬質なものを適用できる。
【００２７】
なお、配線管６をテープＴにてグロメット４に固定した後、外壁部４３を元に戻してテープＴで巻かれた配線管６の端部を覆うようにしている。この場合、テープＴは、外壁部４３によって全部が覆われるようにしており、太陽光の照射や水、埃の付着を低減するとともに、外観上隠れた状態となる。
【００２８】
ビス７は、図１に示す状態から一対のコネクタ３３，３３ａが接続され、嵌合部４１が縁部２２ｃに嵌め込まれ、嵌合部の一部が背面側ケース２２の溝部２２ｄに入れ込まれた状態にて、表示器Ａを車両に組み付けるための取り付け具である。ビス７は、表示モニタＡを金属フレーム（フレーム部材）Ｂとともに、背面側ケース２２に設けられる固定部（取り付け用穴）２２ｅに螺合されて、図２に示すように、金属フレームＢ上に表示器Ａが組み付けられる。
【００２９】
なお、金属フレームＢには、グロメット４の嵌合部４１を挿通するとともにケース２の開口２２ｂに保持するための切り欠き部（孔）Ｂ１と、上述したビス７と同様な固定部材の挿通用の穴Ｂ２が複数用意されている。この場合、金属フレームＢが嵌合部４１に対して一周に渡って当たるように切り欠き部Ｂ１が設けられる。また、穴Ｂ２やこれに対応する固定部２２ｅは、開口２２ｂを周囲に複数設けられ、少なくとも一つは、嵌合部４１の近傍箇所に設けられるため、ビス７によって嵌合部４１の一部を強く圧縮して変形できる。
【００３０】
従って、ビス７によって表示器Ａが組み付けられることによって、切り欠き部Ｂ１の周囲が抑え部分としてグロメット４の一部を圧縮して弾性変形する程度に押し圧した状態で固定保持でき、更なる水密な構造を得ることができる。また、グロメット４がケース２と金属フレームＢとによって挟まれることや、更に、溝部２２ｄに入り込んだ嵌合部４１によって、グロメット４が抜けにくい構造となるため、車体の強い振動や、配線５の押し出しなどが多少生じても防水構造を確保できる。なお、表示器Ａが車体から外された状態にあっては、グロメット４のケース２との前記嵌め込みを解除するだけで、容易にコネクタの脱着作業を行うことができる。さらに、金属フレームＢには、固定部材８によってグロメットを保持するためのアーム部Ｂ３が連続して設けられる。
【００３１】
固定部材８は、結束バンドやクランプを適用でき、内壁部４２と外壁部４３との間に配線管６とテープＴが積層された部分を外壁部４３の外周から束ねて固定する。この際、アーム部Ｂを固定部材８と外壁部４３との間に介在させることによって、変形可能なグロメット４や配線５、配線管６の位置を規制することができる。
【００３２】
特に、配線管６を含めて結束することで、配線管６の抜け止めとして有利である。また、テープＴは、グロメット４の外壁部４３に接触して覆われており、太陽光の照射や、水、埃等の付着を防止できるため、劣化を抑制することができるだけでなく、固定部材８による外からの結束によって、剥がれることを防止できる。また、テープＴや配線５が、グロメット４や配線管６によって覆われているため、外観的にも煩雑でなく、整然な印象を与えることができる。
【００３３】
斯かる車両用表示装置（表示器）の防水構造にあっては、車両情報を表示する液晶表示パネル１と、液晶表示パネル１による表示を視認可能に液晶表示パネル１を収納するケース２と、このケース２の外部と接続するための配線５と、ケース２に収納され、配線５と接続されるとともに液晶表示パネル１を駆動する電子部品を実装する回路基板３と、配線５を挿通する配線管６と、配線管６を挿通し、ケース２の開口２２ｂを覆う弾性変形可能なグロメット４と、を備え、グロメット４は、配線管６をテープＴにて固定するための筒状の内壁部４２と、テープＴを覆う外壁部４３とを設けてなる。
【００３４】
従って、例えば、二輪車両などに搭載される雨滴に晒されやすい表示器に適用した場合であっても、テープ部分が露出することを防止し、車両の排熱や太陽光、雨水、テープの経年変化などによる劣化を抑制することができ、テープによる密着性を保つことができ、接着部材の劣化を抑制し、グロメット４の隙間から埃や水分が入りにくくなるため、防水性に優れた車両用表示装置の防水構造となる。また、テープの部分的な剥がれや粘着部分に付着する汚れなど、外観品位を損なうことを抑止できる。
【００３５】
また、テープＴ、配線管６、グロメット４の内壁部４２と外壁部４３とが積層された位置に、外壁部４３の外周から結束する固定部材８を備えてなることで、外壁部４３とテープＴや配線管６との密着性を向上でき、上述した効果を高めることができる。
【００３６】
本発明の車両用表示装置の防水構造を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【００３７】
本発明は、車両に搭載して各種車両情報を表示する車両用表示装置に関して、例えば、自動車やオートバイ、あるいは農業機械や建設機械を備えた移動体に搭載される表示装置の防水構造として適用でき、特に、建設機械などの特殊車輌や水上バイク，スノーモービル，船舶、あるいはオートバイなどの水面を移動する移動体の計器や雨滴に晒される環境で使用される計器の防水構造として好適である。
【符号の説明】
【００３８】
１  液晶表示パネル（表示手段）
２  ケース
３  回路基板
４  グロメット（防水部材）
５  配線
６  配線管
７  ビス
８  固定部材
Ａ  表示器（車両用表示装置）
Ｔ  テープ（接着部材）
【図１】
0005787163.tif 000002
【図２】
0005787163.tif 000003